(57)【要約】【課題】成形性及び強度に優れたシャドウマスクを備えながら、視認性が良好で、ドーミングによる色純度の劣化が生じにくいカラー受像管を提供する。【解決手段】パネル１の有効部１ａの外面の対角軸方向の曲率半径は１０ｍ以上である。有効部１ａの外面の中心における有効部１ａの外面に対する接平面３０からの長軸端Ｐｈ、短軸端Ｐｖ、対角軸端Ｐｄでの管軸Ｚ方向の落ち込み量をそれぞれＺｈ、Ｚｖ、Ｚｄとしたとき、Ｚｖ＞（Ｚｄ−Ｚｈ）を満足する。短軸Ｙ及び管軸Ｚを含む断面において有効部１ａの外面がなす曲線を２次成分及び４次成分を組み合わせた近似式で表したとき、短軸端Ｐｖでの落ち込み量Ｚｖにおける４次成分の比率が１０％以上４０％以下である。【選択図】図２
2007287555.tif 000002
【特許請求の範囲】
【請求項１】
内面に蛍光体スクリーンが形成された実質的に矩形状の有効部を有し、前記有効部の外面の対角軸方向の曲率半径が１０ｍ以上であるパネルと、電子ビームを通過させる多数の開孔が形成された曲面状の有孔領域を有するシャドウマスクとを備えたカラー受像管であって、
前記有効部の外面の中心における前記有効部の外面に対する接平面に垂直で且つ前記有効部の前記中心を通る軸を管軸とし、前記有効部の長辺と平行で且つ前記管軸と直交する軸を長軸とし、前記有効部の短辺と平行で且つ前記管軸と直交する軸を短軸とし、前記有効部の前記短辺と前記長軸及び前記管軸を含む面とが交差する点を長軸端とし、前記有効部の前記長辺と前記短軸及び前記管軸を含む面とが交差する点を短軸端とし、前記有効部の前記短辺と前記長辺とが交差する点を対角軸端とし、前記長軸端、前記短軸端、前記対角軸端での前記有効部の外面の前記接平面からの前記管軸方向の落ち込み量をそれぞれＺｈ、Ｚｖ、Ｚｄとしたとき、
Ｚｖ＞（Ｚｄ−Ｚｈ）
を満足し、
前記短軸及び前記管軸を含む断面において前記有効部の外面がなす曲線を２次成分及び４次成分を組み合わせた近似式で表したとき、前記短軸端での落ち込み量Ｚｖにおける前記４次成分の比率が１０％以上４０％以下であることを特徴とするカラー受像管。
【請求項２】
前記有効部の前記短辺に沿った前記有効部の外面の形状を表す曲線が円弧又は２次関数である請求項１に記載のカラー受像管。
【請求項３】
前記短軸及び前記管軸を含む面と平行な断面において前記有効部の外面がなす曲線を２次成分及び４次成分を組み合わせた近似式で表し、前記曲線が前記長軸及び前記管軸を含む面と交差する点に対する前記曲線が前記長辺と交差する点での前記管軸方向における落ち込み量をＺｖｘとしたとき、前記有効部の前記中心から前記断面までの前記長軸方向の距離が増加するにしたがって、前記落ち込み量Ｚｖｘにおける前記４次成分の比率が２次関数にしたがって減少する請求項２に記載のカラー受像管。
【請求項４】
前記有効部の外面の前記短辺及び前記長辺に沿った曲率半径をそれぞれＲｓ、Ｒｌとしたとき、Ｒｓ＝Ｒｌである請求項３に記載のカラー受像管。
【請求項５】
Ｒｓ＞５０ｍ、Ｒｌ＞５０ｍである請求項４に記載のカラー受像管。
【請求項６】
前記シャドウマスクは鉄を９５％以上含む材料からなる請求項１に記載のカラー受像管。
【請求項７】
前記有効部の前記中心での前記パネルの透過率が６０％以下である請求項１に記載のカラー受像管。
【請求項８】
内面に蛍光体スクリーンが形成された実質的に矩形状の有効部を有し、前記有効部の外面の対角軸方向の曲率半径が１０ｍ以上であるパネルと、電子ビームを通過させる多数の開孔が形成された曲面状の有孔領域を有するシャドウマスクとを備えたカラー受像管であって、
前記有効部の外面の中心における前記有効部の外面に対する接平面に垂直で且つ前記有効部の前記中心を通る軸を管軸とし、前記有効部の長辺と平行で且つ前記管軸と直交する軸を長軸とし、前記有効部の短辺と平行で且つ前記管軸と直交する軸を短軸とし、前記有効部の前記短辺と前記長軸及び前記管軸を含む面とが交差する点を長軸端とし、前記有効部の前記長辺と前記短軸及び前記管軸を含む面とが交差する点を短軸端とし、前記有効部の前記短辺と前記長辺とが交差する点を対角軸端とし、前記長軸端、前記短軸端、前記対角軸端での前記有効部の外面の前記接平面からの前記管軸方向の落ち込み量をそれぞれＺｈ、Ｚｖ、Ｚｄとしたとき、
Ｚｈ＞（Ｚｄ−Ｚｖ）
を満足し、
前記長軸及び前記管軸を含む断面において前記有効部の外面がなす曲線を２次成分及び４次成分を組み合わせた近似式で表したとき、前記長軸端での落ち込み量Ｚｈにおける前記４次成分の比率が１０％以上４０％以下であることを特徴とするカラー受像管。
【請求項９】
前記有効部の前記長辺に沿った前記有効部の外面の形状を表す曲線が円弧又は２次関数である請求項８に記載のカラー受像管。
【請求項１０】
前記長軸及び前記管軸を含む面と平行な断面において前記有効部の外面がなす曲線を２次成分及び４次成分を組み合わせた近似式で表し、前記曲線が前記短軸及び前記管軸を含む面と交差する点に対する前記曲線が前記短辺と交差する点での前記管軸方向における落ち込み量をＺｈｙとしたとき、前記有効部の前記中心から前記断面までの前記短軸方向の距離が増加するにしたがって、前記落ち込み量Ｚｈｙにおける前記４次成分の比率が２次関数にしたがって減少する請求項９に記載のカラー受像管。
【請求項１１】
前記有効部の外面の前記短辺及び前記長辺に沿った曲率半径をそれぞれＲｓ、Ｒｌとしたとき、Ｒｓ＝Ｒｌである請求項１０に記載のカラー受像管。
【請求項１２】
Ｒｓ＞５０ｍ、Ｒｌ＞５０ｍである請求項１１に記載のカラー受像管。
【請求項１３】
前記シャドウマスクは鉄を９５％以上含む材料からなる請求項８に記載のカラー受像管。
【請求項１４】
前記有効部の前記中心での前記パネルの透過率が６０％以下である請求項８に記載のカラー受像管。
【発明の詳細な説明】
【技術分野】
【０００１】
本発明はシャドウマスクを備えたカラー受像管に関する。
【背景技術】
【０００２】
一般にカラー受像管は、図７に示すように、曲面からなる有効部１ａの周辺に側壁部１ｂが設けられたほぼ矩形状のパネル１と、その側壁部１ｂに接合された漏斗状のファンネル２とからなるガラス製の外囲器９を有する。パネル１の有効部１ａの内面には、黒色非発光物質層と、この黒色非発光物質層の隙間に埋め込まれた、緑、青、赤の３色の蛍光体とからなる略矩形状の蛍光体スクリーン３が設けられている。この蛍光体スクリーン３に対向して、シャドウマスク構体５が設けられている。シャドウマスク構体５は、電子ビームを通過させる多数の開孔（電子ビーム通過孔）が形成されたシャドウマスク４と、シャドウマスク４を保持する略矩形状のマスクフレーム１１とからなる。
【０００３】
シャドウマスク４は、図８に示すように、パネル１の有効部１ａと対向する主面部４ａと、主面部４ａに対してほぼ直角に屈曲されて主面部４ａに連設されたスカート部４ｄとを備える。主面部４ａは、蛍光体スクリーン３を構成する３色蛍光体に対して電子銃７から放出された３電子ビーム６Ｂ、６Ｇ、６Ｒを選別するための多数の電子ビーム通過孔４ｅが形成され、且つ、蛍光体スクリーン３側に凸曲面を有する有孔領域４ｂと、この有孔領域４ｂの外周を取り囲み、電子ビーム通過孔４ｅが形成されていない無孔領域４ｃとからなる。
【０００４】
シャドウマスク４は、スカート部４ｄがほぼ矩形枠状のマスクフレーム１１に取り付けられて、マスクフレーム１１に保持されている。マスクフレーム１１に取付けられた弾性支持体（図示せず）をパネル１の側壁部１ｂの内壁面に設けられたスタッドピン（図示せず）に係止することにより、シャドウマスク構体５はパネル１に着脱可能に取り付けられている。
【０００５】
ファンネル２のネック２ａ内には３電子ビーム６Ｂ、６Ｇ、６Ｒを放出する電子銃７が配設されている。またファンネル２の径大部の内側に、マスクフレーム１１に取付けられたインナーシールド１０が配置されている。ファンネル２の外周面上には偏向装置８が搭載されている。
【０００６】
電子銃７から放出された３電子ビーム６Ｂ、６Ｇ、６Ｒは偏向装置８が発生する磁界により偏向され、シャドウマスク４の電子ビーム通過孔を通過して蛍光体スクリーン３を水平方向及び垂直方向に走査して、カラー画像が表示される。
【０００７】
外囲器９の内部空間は真空であるため、外界の大気圧により外囲器９内に応力が発生する。外囲器９は球形ではない為、この応力は均一ではなく、引っ張り応力又は圧縮応力が分布をもって発生する。従って、外囲器９に何らかの機械的衝撃が加わり、局部的な破壊又は亀裂が発生すると、外囲器９は容易に爆縮してしまう。この爆縮を防止するために、パネル１の側壁部１ｂの外周面には、外囲器９の強度を保持し、爆縮を防止する為の防爆用補強バンド１２が巻回される。
【０００８】
一般に、カラー受像管の蛍光体スクリーン３上に色ずれのない画像を表示するためには、シャドウマスク４に形成された電子ビーム通過孔を通過した３電子ビームが３色蛍光体に正しくランディングしなければならない。そのためには、パネル１とシャドウマスク４とを所定の関係に維持する必要があり、なかでも、蛍光体スクリーン３とこれに対向するシャドウマスク４の有孔領域４ｂとの間隔（ｑ値）が所定の許容範囲内であることが必要である。
【０００９】
シャドウマスク４を備えたカラー受像管では、その動作原理上、シャドウマスク４の電子ビーム通過孔を通過して蛍光体スクリーン３に到達する電子ビームは、電子銃７から放出された全電子ビーム量の１／３以下であり、他の電子ビームはシャドウマスク４に衝突して熱エネルギーに変換される。従って、シャドウマスク４が加熱され、その結果生ずる熱膨張により、シャドウマスク４は蛍光体スクリーン３側に膨出するように変形する、いわゆるドーミングをおこす。このドーミングにより、蛍光体スクリーン３とシャドウマスク４の有孔領域４ｂとの間隔（ｑ値）が許容範囲を超えると、蛍光体スクリーン３に対する電子ビームのランディング位置がずれ、色純度が劣化する。
【００１０】
近年、視認性を向上させるため、パネル１の有効部１ａの外面の曲率半径を大きくして、平面に近づけることが要望されている。この場合、外囲器９の大気圧強度および視認性の点から、有効部１ａの内面の曲率半径も大きくする必要がある。有効部１ａの内面の曲率半径を大きくすると、適正なビームランディングを得るためには、シャドウマスク４の有孔領域４ｂの曲率半径も大きくすることが必要となる。
【００１１】
シャドウマスク４の有孔領域４ｂの曲率半径が大きくなるとドーミング量が大きくなるため、電子ビームのランディング位置ずれ量も大きくなり、色純度が大幅に劣化する。このため、パネル１の有効部１ａの外面がほぼ平坦なカラー受像管では、ドーミングを抑制するため、シャドウマスク４の材料として、一般に、熱膨張係数の低い、鉄およびニッケルを主成分とする合金が使用されている。例えば３６Ｎｉアンバー合金などの鉄−ニッケル系合金が使用される。このような合金の熱膨張係数は０〜１００℃で１〜２×１０-6であり、ドーミング抑制に対しては有効である反面、高コストである。更に、鉄−ニッケル系合金は焼鈍後に大きな弾性を有するため、極めて多数の電子ビーム通過孔を形成した後の薄い金属板をプレス成形する曲面成形加工が難しく、所望の曲面を得るのが難しい。例えば、９００℃もの高温で焼鈍しても降伏点強度は２８×１０7Ｎ／ｍ2程度であり、一般に成形加工が容易であるとされる降伏点強度である２０×１０7Ｎ／ｍ2以下にするためにはかなりの高温処理が必要になる。特に、パネル１の有効部１ａの外面が平坦なカラー受像管ではシャドウマスク４の有孔領域４ｂの曲率半径は大きくなるので、このようなカラー受像管に適用されるシャドウマスク４の成形加工は更に困難である。
【００１２】
成形加工が不十分で、且つ成形後に不所望な応力がシャドウマスク４に残留している場合、この残留応力がカラー受像管の製造工程中でシャドウマスク４の形状変化を生じさせ、これが電子ビームのビームランディング位置ずれを招き、色純度が大きく劣化することになる。
【００１３】
一方、高純度の鉄を主成分とする材料であれば、８００℃程度の焼鈍で降伏点強度を２０×１０7Ｎ／ｍ2以下にすることができるため、成形加工は非常に容易である。従って、アンバー合金では必須である成形加工時の金型温度を高温に保つ必要がなく、生産性も良好である。
【００１４】
しかし、このような高純度の鉄を主成分とする材料の熱膨張係数は０〜１００℃で約１２×１０-6と大きく、ドーミングに対しては不利であり、特にパネル１の有効部１ａの外面がほぼ平坦なカラー受像管に適用した場合には、色純度が著しく劣化し、大きな問題となる。
【００１５】
特許文献１には、外面が実質的に平面であり、内面が凹曲面であるパネルを備えたカラー受像管が開示されている。ところが、内面の曲率半径は、シャドウマスクに関する上述した各種問題を効果的に抑制するのに十分な曲率を有していない。従って、特に安価な鉄材からなるシャドウマスクを使用する場合に大きな問題となっていた。
【００１６】
特許文献２には、外面の曲率半径が６０００ｍｍ以上９００００ｍｍ未満のパネルを備えたカラー受像管が開示されている。ところが、その内面の曲率半径は、上述の各種問題を効果的に抑制するのに十分に小さくはない。
【特許文献１】第２９９３４３７号公報
【特許文献２】第３２８２５５３号公報
【発明の開示】
【発明が解決しようとする課題】
【００１７】
以上のように、近年、パネル１の有効部１ａの外面の平坦化に対する要求が著しく高まっている。
【００１８】
一方、パネル１の有効部１ａの内面に対向して設置されるシャドウマスク４は、前述したように、極めて多数の電子ビーム通過孔を形成した後の薄い金属板をプレス成形して製作される。金属板の成形性や成形後のシャドウマスク４の機械的強度（曲面保持強度）の観点からは、有孔領域４ｂの曲率半径は小さい方が有利である。パネル１の有効部１ａの外面の平坦化に対応させて、有孔領域４ｂの曲率半径を大きくすると、十分に成形することができず、また、得られたシャドウマスク４の曲面保持強度が低くなる。シャドウマスク４の曲面保持強度が低いと、カラー受像管の製造過程や動作中の衝撃や振動により容易に変形してしまう。また、ＴＶセットに組み込んだ場合、スピーカーからの音声により、シャドウマスク４が共振しやすくなる。これらの結果、蛍光体スクリーン３とシャドウマスク４の有孔領域４ｂとの間隔（ｑ値）が許容範囲を超え、色選別電極としての機能を果たすことができず、表示画像の色純度が大幅に劣化する。更に、近年では、カラー受像管の動作中の熱に対する性能を向上させるために、シャドウマスク４の材料として低熱膨張の合金材料が多く使用される。この合金材料は鉄材に比べてプレス成形性が劣るので、問題はより深刻である。
【００１９】
シャドウマスク４の有孔領域４ｂの曲面形状は、実質的にパネル１の有効部１ａの内面の曲面形状に沿った形状に設定される。従って、シャドウマスク４のドーミング特性、成形性、及び機械的強度特性を向上させようとすればするほど、パネル１の有効部１ａの内面の曲率半径を小さくする必要がある。即ち、図９に示すように、パネル１の有効部１ａの外面は平坦で、その内面は所定の曲率半径を有する凹曲面となる。この結果、パネル１の有効部１ａの厚さは、その中央部で薄く（厚さＴｃ）、周辺部で厚くなり（厚さＴ1）、中央部と周辺部との厚み差が増大する。
【００２０】
一般に、外囲器９の内部空間を高真空にすることで大気圧により外囲器９内に発生する応力の不均一性は、パネル１の有効部１ａの外面を平坦化すると著しく高まる。最大応力が発生する部分はパネル１の有効部１ａと側壁部１ｂとの境界部分である。パネル１の有効部１ａの内面の曲率半径を小さくすることにより、この境界部分の厚みは厚くなる。このことは、大気圧により発生する応力緩和に有効であり、機械的衝撃による外囲器９の破壊、爆縮を防止する上で有利である。
【００２１】
しかしながら、カラー受像管はその製造工程において、数回の熱工程を経て製造される。この熱工程において、外囲器９は最高で約５００℃程度まで昇温される。大量生産のためには、工程時間は出来るだけ短いことが要求され、結果として外囲器９は温度変化勾配が非常に大きな加熱、冷却を受けることになる。この急加熱、急冷却により、外囲器９内の温度分布が著しく不均一となり、特にパネル１の厚肉部に非常に大きな熱応力が発生し、これにより外囲器９が破壊するという問題があった。
【００２２】
また、画像のコントラストを向上する目的で、パネル１の材料として透過率の低いガラスが使用される事が主流となっている。この場合、パネル１の厚みに応じてその透過率が大きく変化する。パネル１の有効部１ａの外面をできるだけ平坦にし、且つ、その内面の曲率半径を小さくすることによって、パネル１の有効部１ａの中央部での厚さＴｃと周辺部での厚さＴ1との差が増大すると、有効部１ａの中央部と周辺部とで透過率差が増大してしまう。この結果、画面の中央部では明るく、周辺部では暗くなり、画像の明るさの均一性が低下するという問題もあった。
【００２３】
また、大気圧によりパネル１の有効部１ａの中央部が窪むように変形する。補強バンド１２は、パネル１の側壁部１ｂに巻かれてこれを締め付けることにより、有効部１ａをこれと逆、即ちその中央部が膨らむように変形させて、大気圧によって外囲器９内に発生する応力を緩和する。ところが、パネル１の有効部１ａの外面が平坦化されると、パネル１の有効部１ａの中央部を膨らませるように変形させようとする補強バンド１２の作用が得られにくくなる。従って、より強い締め付け力を発生する補強バンドが必要となり、これが補強バンド１２のコスト低減を妨げていた。
【００２４】
上述のように、カラー受像管の視認性を向上させるためパネル１の有効部１ａの外面の曲率半径を大きくし、それにともなってシャドウマスク４の有孔領域４ｂの曲率半径を大きくすると、有孔領域４ｂの曲面保持強度が低下し、シャドウマスク４の製造工程での局部的な変形やカラー受像管の製造工程での熱変形が起こりやすくなり、電子ビームのランディング位置がずれ、色純度が劣化しやすくなる。また、カラー受像管をＴＶセットに組込んだ場合、スピーカーからの音声により、シャドウマスク４が共振しやすくなり、その共振によって色純度の劣化が起こりやすくなる。さらに、カラー受像管の動作時には、シャドウマスクの熱膨張により電子ビームのランディング位置ずれ量が大きくなり、色純度の劣化が大きくなる。
【００２５】
また、シャドウマスク４の材料として安価で成形性の良好な鉄材を使用した場合、その大きな熱膨張係数により、シャドウマスク４の熱膨張による電子ビームのランディング位置ずれ量はより大きくなり、色純度の劣化が更に大きくなる。
【００２６】
パネル１の有効部１ａの中央部と周辺部とで厚み差が増大すると、輝度の均一性が低下する。従って、シャドウマスク４の曲率半径を小さくするために、パネル１の有効部１ａの内面の曲率半径を小さくする場合には、輝度均一性の低下を回避するために、有効部１ａの外面の曲率半径も小さくする必要がある。しかしながら、このようなカラー受像管は、パネル１の有効部１ａの外面の平坦化に対する要求に反する。また、このようなカラー受像管を、これまで普及してきている従来の外面が平坦なパネルを有するカラー受像管（以下、「従来の平面管」という）に適合したＴＶセットの前面キャビネットに装着すると、有効部１ａの外面の周辺部（即ち、長辺近傍及び短辺近傍）と前面キャビネットのスクリーン枠との間に隙間が生じてしまう。即ち、従来の平面管との間でＴＶセットの前面キャビネットの互換性を確保するためには、有効部１ａの外面の周辺部を、この従来の平面管と同程度の平坦面とし、これより内側領域を曲率半径の大きな曲面にする必要がある。
【００２７】
ところが、これを実現するためには、有効部１ａの外面の曲面形状に非球面成分を含ませる必要があり、これによって、有効部１ａの外面で外光が反射することで有効部１ａの外面上に見える外光の反射像が不自然に歪むので、視聴者に違和感を抱かせてしまう。
【００２８】
本発明は、上記の従来の問題に鑑みてなされたものであり、視感的な平面性を損なわず、ＴＶセットへの装着に関して従来の平面管との間で互換性を有し、安価で成形性及び強度に優れたシャドウマスクを備え、ドーミングによる色純度の劣化が生じにくく、外光の反射像の違和感が少ないカラー受像管を提供することを目的とする。また、本発明は、防爆用補強バンドの締め付け力が効果的に作用することにより、より安価な補強バンドの使用が可能なカラー受像管を提供することを目的とする。
【課題を解決するための手段】
【００２９】
本発明のカラー受像管は、内面に蛍光体スクリーンが形成された実質的に矩形状の有効部を有し、前記有効部の外面の対角軸方向の曲率半径が１０ｍ以上であるパネルと、電子ビームを通過させる多数の開孔が形成された曲面状の有孔領域を有するシャドウマスクとを備える。
【００３０】
前記有効部の外面の中心における前記有効部の外面に対する接平面に垂直で且つ前記有効部の前記中心を通る軸を管軸とし、前記有効部の長辺と平行で且つ前記管軸と直交する軸を長軸とし、前記有効部の短辺と平行で且つ前記管軸と直交する軸を短軸とし、前記有効部の前記短辺と前記長軸及び前記管軸を含む面とが交差する点を長軸端とし、前記有効部の前記長辺と前記短軸及び前記管軸を含む面とが交差する点を短軸端とし、前記有効部の前記短辺と前記長辺とが交差する点を対角軸端とし、前記長軸端、前記短軸端、前記対角軸端での前記有効部の外面の前記接平面からの前記管軸方向の落ち込み量をそれぞれＺｈ、Ｚｖ、Ｚｄとする。
【００３１】
本発明の第１のカラー受像管では、Ｚｖ＞（Ｚｄ−Ｚｈ）を満足する。更に、前記短軸及び前記管軸を含む断面において前記有効部の外面がなす曲線を２次成分及び４次成分を組み合わせた近似式で表したとき、前記短軸端での落ち込み量Ｚｖにおける前記４次成分の比率が１０％以上４０％以下である。
【００３２】
本発明の第２のカラー受像管では、Ｚｈ＞（Ｚｄ−Ｚｖ）を満足する。更に、前記長軸及び前記管軸を含む断面において前記有効部の外面がなす曲線を２次成分及び４次成分を組み合わせた近似式で表したとき、前記長軸端での落ち込み量Ｚｈにおける前記４次成分の比率が１０％以上４０％以下である。
【発明の効果】
【００３３】
本発明によれば、パネルの有効部の外面の形状を詳細に規定することにより、この外面の視感上の平面性を確保しながら、ＴＶセットへの装着に関して従来の平面管との間で互換性を有する。また、パネルの有効部の中央部と周辺部との厚み差が従来と略同等に抑えられているので、製造工程においてパネル内に大きな熱応力が発生するのを防止でき、また、画像の明るさの均一性が低下するのを防止できる。更に、有効部の内面の曲率半径を小さくすることが出来るので、シャドウマスクの有孔領域の曲率半径を小さくすることができる。これにより、シャドウマスクの曲面保持強度が向上し、カラー受像管の製造工程でシャドウマスクの局部的な変形を低減できる。また、シャドウマスクの材料として低コストで成形性及び強度に優れた鉄材を用いてもドーミングによる色純度の劣化を低減できるので、良好なカラー表示を行うことができる。更に、外光の反射像の違和感を低減できる。また、防爆用補強バンドの締め付け力が効果的に作用するのでより安価な補強バンドを使用することができる。
【発明を実施するための最良の形態】
【００３４】
以下、図面を参照して本発明の実施の形態について説明する。
【００３５】
本発明に係るカラー受像管の概略構成は、パネルの内外面の形状を除いて特に制限はなく、例えば図７に示した従来のカラー受像管と同じであっても良い。従って、以下では従来のカラー受像管と相違する点を中心に本発明を説明する。
【００３６】
図１は、本発明の一実施形態に係るカラー陰極線管のパネル１の概略形状を示した斜視図である。図示したように、パネル１の有効部１ａの外面の中心Ｐｃにおける有効部１ａの外面に対する接平面３０（後述する図２を参照）に垂直で、且つ中心Ｐｃを通る軸を管軸Ｚする。また、有効部１ａの長辺１ａLと平行で、且つ管軸Ｚと直交する軸を長軸Ｘとし、有効部１ａの短辺１ａSと平行で、且つ管軸Ｚと直交する軸を短軸Ｙとする。一対の長辺１ａLと一対の短辺１ａSとが交差する４つの交点を対角軸端Ｐｄとし、４つの対角軸端Ｐｄのうち、管軸Ｚを挟んで互いに対向する２つの対角軸端Ｐｄを結ぶ方向と平行で、且つ、管軸Ｚと直交する軸を対角軸Ｄとする。有効部１ａの短辺１ａSと長軸Ｘ及び管軸Ｚを含む面とが交差する点を長軸端Ｐｈとし、有効部１ａの長辺１ａLと短軸Ｙ及び管軸Ｚを含む面とが交差する点を短軸端Ｐｖとする。
【００３７】
パネル１の有効部１ａの外面は、遠方から見たときに略平面と認識出来る程度の大きな曲率半径を有する曲面に形成されており、具体的には、有効部１ａの外面の対角軸Ｄ方向の曲率半径が１０ｍ以上である。ここで、「対角軸Ｄ方向の曲率半径」とは、対角軸Ｄ及び管軸Ｚを含む断面において、中心Ｐｃ及びこれを挟む２つの対角軸端Ｐｄにより定義される円弧の曲率半径を意味する。有効部１ａの内面は所定の曲率半径を有する凹状の曲面に形成されている。パネル１の内面には、実質的に矩形状の蛍光体スクリーン３（図７参照）が形成されている。本発明では、蛍光体スクリーン３が形成されたパネル１の内面上の領域及びこれに対応するパネル１の外面上の領域を「有効部１ａ」と呼ぶ。
【００３８】
図２は、有効部１ａの外面の長軸Ｘ及び短軸Ｙにより区分された第１象限内の形状を示した斜視図である。有効部１ａの外面及び内面の形状は、管軸Ｚに対して対称である。図示したように、長軸端Ｐｈ、短軸端Ｐｖ、対角軸端Ｐｄでの有効部１ａの外面の接平面３０からの管軸Ｚ方向の落ち込み量をそれぞれＺｈ、Ｚｖ、Ｚｄとすると、
Ｚｖ＋Ｚｈ＞Ｚｄ      ・・・（１）
を満足する。
【００３９】
上式を変形すると、Ｚｖ＞（Ｚｄ−Ｚｈ）、或いは、Ｚｈ＞（Ｚｄ−Ｚｖ）となる。
【００４０】
即ち、第１のカラー受像管では、有効部１ａの中心Ｐｃに対する短軸端Ｐｖでの管軸Ｚ方向の落ち込み量Ｚｖが、長軸端Ｐｈに対する対角端Ｐｄでの管軸Ｚ方向の落ち込み量Ｚｄ−Ｚｈより大きい。
【００４１】
また、第２のカラー受像管では、有効部１ａの中心Ｐｃに対する長軸端Ｐｈでの管軸Ｚ方向の落ち込み量Ｚｈが、短軸端Ｐｖに対する対角端Ｐｄでの管軸Ｚ方向の落ち込み量Ｚｄ−Ｚｖより大きい。
【００４２】
有効部１ａの外面上の各点の中心Ｐｃに対する管軸Ｚ方向の落ち込み量Ｚは、中心Ｐｃを原点として、その点の長軸Ｘ方向の座標ｘ及び短軸Ｙ方向の座標ｙを用いて
Ｚ＝Ａ1ｘ2＋Ａ2ｘ4＋Ａ3ｙ2＋Ａ4ｙ4＋Ａ5ｘ2ｙ2＋Ａ6ｘ4ｙ2＋Ａ7ｘ2ｙ4＋Ａ8ｘ4ｙ4      ・・・（２）
で近似することができる。ここで、Ａ1〜Ａ8は定数である。
【００４３】
短軸Ｙ及び管軸Ｚを含む断面において有効部１ａの外面がなす曲線は、上記式（２）においてｘ＝０であるから、
Ｚ＝Ａ3ｙ2＋Ａ4ｙ4      ・・・（３）
で近似することができる。
【００４４】
本発明の第１のカラー受像管では、短軸端Ｐｖでの落ち込み量Ｚｖにおける式（３）の４次成分の比率が１０％以上４０％以下である。即ち、
１０％≦［Ａ4ｙ4／（Ａ3ｙ2＋Ａ4ｙ4）］×１００≦４０％      ・・・（４）
を満足する。
【００４５】
中心Ｐｃから長軸Ｘ方向に距離ｘだけ離れた、短軸Ｙ及び管軸Ｚを含む面と平行な断面において有効部１ａの外面がなす曲線Ｃｖを式（３）と同様に２次成分及び４次成分を組み合わせた近似式で表すことができる。曲線Ｃｖが長軸Ｘ及び管軸Ｚを含む面と交差する点Ｐｈｘに対する曲線Ｃｖが長辺１ａLと交差する点Ｐｌｘでの管軸Ｚ方向における落ち込み量をＺｖｘとする。本発明の第１のカラー受像管では、有効部１ａの中心Ｐｃからの距離ｘが増加するにしたがって、落ち込み量Ｚｖｘにおける４次成分の比率が２次関数にしたがって減少することが好ましい。これにより、短辺１ａSに沿った有効部１ａの外面の形状を従来の平面管と同等にすることができるので、この従来の平面管との間でＴＶセットの前面キャビネットの互換性を確保しやすくなる。
【００４６】
この場合、有効部１ａの短辺１ａS上では４次成分が消失してしまうことが好ましい。即ち、有効部１ａの短辺１ａSに沿った有効部１ａの外面の形状を表す曲線が円弧又は２次関数であることが好ましい。これにより、従来の平面管との間でＴＶセットの前面キャビネットの互換性の確保が一層容易になる。
【００４７】
同様に、長軸Ｘ及び管軸Ｚを含む断面において有効部１ａの外面がなす曲線は、上記式（２）においてｙ＝０であるから、
Ｚ＝Ａ1ｘ2＋Ａ2ｘ4      ・・・（５）
で近似することができる。
【００４８】
本発明の第２のカラー受像管では、長軸端Ｐｈでの落ち込み量Ｚｈにおける式（５）の４次成分の比率が１０％以上４０％以下である。即ち、
１０％≦［Ａ2ｘ4／（Ａ1ｘ2＋Ａ2ｘ4）］×１００≦４０％      ・・・（６）
を満足する。
【００４９】
中心Ｐｃから短軸Ｙ方向に距離ｙだけ離れた、長軸Ｘ及び管軸Ｚを含む面と平行な断面において有効部１ａの外面がなす曲線Ｃｈを式（５）と同様に２次成分及び４次成分を組み合わせた近似式で表すことができる。曲線Ｃｈが短軸Ｙ及び管軸Ｚを含む面と交差する点Ｐｖｙに対する曲線Ｃｈが短辺１ａSと交差する点Ｐｓｘでの管軸Ｚ方向における落ち込み量をＺｈｙとする。本発明の第２のカラー受像管では、有効部１ａの中心Ｐｃからの距離ｙが増加するにしたがって、落ち込み量Ｚｈｙにおける４次成分の比率が２次関数にしたがって減少することが好ましい。これにより、長辺１ａLに沿った有効部１ａの外面の形状を従来の平面管と同等にすることができるので、この従来の平面管との間でＴＶセットの前面キャビネットの互換性を確保しやすくなる。
【００５０】
この場合、有効部１ａの長辺１ａL上では４次成分が消失してしまうことが好ましい。即ち、有効部１ａの長辺１ａLに沿った有効部１ａの外面の形状を表す曲線が円弧又は２次関数であることが好ましい。これにより、従来の平面管との間でＴＶセットの前面キャビネットの互換性の確保が一層容易になる。
【００５１】
本発明の第１及び第２のカラー受像管では、有効部１ａの外面の短辺１ａS及び長辺１ａLに沿った曲率半径をそれぞれＲｓ、Ｒｌとしたとき、０．９８≦Ｒｓ／Ｒｌ≦１．０２を満足することが好ましく、更にはＲｓ＝Ｒｌであることが好ましい。ここで、「短辺１ａSに沿った曲率半径Ｒｓ」とは、短辺１ａSを含む管軸Ｚと平行な断面において、長軸端Ｐｈとこの長軸端Ｐｈを挟む２つの対角軸端Ｐｄとにより定義される円弧の曲率半径を意味する。同様に、「長辺１ａLに沿った曲率半径Ｒｌ」とは、長辺１ａLを含む管軸Ｚと平行な断面において、短軸端Ｐｖとこの短軸端Ｐｖを挟む２つの対角軸端Ｐｄとにより定義される円弧の曲率半径を意味する。
【００５２】
ＲｓとＲｌとがほぼ同じ値をとることにより、画面の自然な視認性が得られる。即ち、曲率半径Ｒｓと曲率半径Ｒｌとが大きく異なると、一方の方向の曲率が目立ち、画面が円筒状に認識されていまい、視感上の平面性が悪化する。また、従来のカラー受像管では、パネル１の有効部１ａの外面は単一の曲率半径の曲面である場合が多く、これとの違和感を少なくすることができる。
【００５３】
上記曲率半径Ｒｓ，Ｒｌは、Ｒｓ＞５０ｍ、Ｒｌ＞５０ｍを満足することが好ましい。これにより、パネル１の有効部１ａの外面の平面性が良好となる。また、従来の平面管が組み込まれていたＴＶセットの前面キャビネットを、設計変更することなくそのまま本発明のカラー受像管に適用することができる。
【００５４】
従来のカラー受像管では、パネル１の有効部１ａの外面は単一の曲率半径の曲面であった（後述する「従来例」を参照）。即ち、有効部１ａの外面の対角軸Ｄ方向の曲率半径Ｒｄ及び上記曲率半径Ｒｓ，ＲｌがＲｄ＝Ｒｌ＝Ｒｓを満足していた。この従来のカラー受像管と比較すると、本発明のカラー受像管では、対角軸Ｄ方向の曲率半径Ｒｄが相対的に小さい。本発明のカラー受像管では、パネル１の有効部１ａの外面の対角軸Ｄ方向の曲率半径Ｒｄが相対的に小さいことに対応して、有効部１ａの内面の対角軸Ｄ方向の曲率半径も従来のカラー受像管に比較して小さい。即ち、パネル１の有効部１ａの厚みは、本発明のカラー受像管とこの従来のカラー受像管とは略同等である。これにより、画像の明るさの均一性の低下と製造工程における熱応力の問題の発生とが防止されている。
【００５５】
シャドウマスク４は鉄を９５％以上含む材料からなることが好ましい。これにより、シャドウマスク４のコストを低減できる。また、シャドウマスク４の成形性が良好である。
【００５６】
有効部１ａの中心Ｐｃでのパネル１の透過率が６０％以下であることが好ましい。即ち、パネル１が可視光透過率が小さな、いわゆるティント色調ガラス材からなることが好ましい。これにより、パネル１の内面での外光の反射が低減され、画面のコントラストが向上する。本発明のカラー受像管では、パネル１の有効部１ａの中央部と周辺部とでの厚み差は従来のカラー受像管とほぼ同等であるので、ティント色調ガラス材を使用しても画像の明るさの均一性が低下することはない。
【実施例】
【００５７】
本発明を、対角寸法６８ｃｍ、アスペクト比４：３のカラー受像管に適用した例（以下、「実施例」という）を説明する。
【００５８】
本実施例に係るカラー受像管のパネル１の有効部１ａの中心Ｐｃでの厚みＴｃは１１．５ｍｍ、中心Ｐｃでの透過率は５４％であった。シャドウマスク４の材料として、熱膨張係数が０〜１００℃で１２×１０-6の高純度の鉄からなるアルミキルド脱炭鋼を使用した。
【００５９】
比較のために、パネル１の有効部１ａの外面が単一の曲率半径の曲面である従来の平面管を作製した（以下、「従来例」という）。
【００６０】
実施例及び従来例について、パネル１の外面上の長軸端Ｐｈ、短軸端Ｐｖ、対角軸端Ｐｄでの有効部１ａの外面の接平面３０からの管軸Ｚ方向の落ち込み量Ｚｈ、Ｚｖ、Ｚｄは表１に示す通りであった。表１において、Ｚｄ−Ｚｖは長辺１ａLに沿った落ち込み量、Ｚｄ−Ｚｈは短辺１ａSに沿った落ち込み量である。
【００６１】
【表１】
2007287555.tif 000003
【００６２】
実施例のパネルは、Ｚｖ＞（Ｚｄ−Ｚｈ）及びＺｈ＞（Ｚｄ−Ｚｖ）を満足している。
【００６３】
接平面３０と同様に、パネル１の有効部１ａの内面上の中心Ｐｃにおける有効部１ａの内面に対する接平面を考える。実施例及び従来例について、パネル１の内面上の長軸端Ｐｈ、短軸端Ｐｖ、対角軸端Ｐｄでの有効部１ａの内面に対する接平面からの管軸Ｚ方向の落ち込み量Ｚｈｉ、Ｚｖｉ、Ｚｄｉは表２に示す通りであった。表２において、Ｚｄｉ−Ｚｖｉは長辺１ａLに沿った落ち込み量、Ｚｄｉ−Ｚｈｉは短辺１ａSに沿った落ち込み量である。
【００６４】
【表２】
2007287555.tif 000004
【００６５】
実施例のパネルの短軸Ｙ及び管軸Ｚを含む断面において有効部１ａの外面がなす曲線は、中心Ｐｃ、短軸端Ｐｖ、及びこの２点の中間点での外面の落ち込み量より、
Ｚ＝４．１６×１０-5・ｙ2＋２．４２×１０-10・ｙ4
で近似することができた。中心Ｐｃから短軸端Ｐｖまでの短軸Ｙ方向の距離は２０４ｍｍであり、短軸端Ｐｖでの落ち込み量Ｚｖにおける４次成分の比率は、
２．４２×１０-10・ｙ4／（４．１６×１０-5・ｙ2＋２．４２×１０-10・ｙ4）×１００＝１９％
であった。
【００６６】
実施例のパネルでは、中心Ｐｃから長軸Ｘ方向に距離ｘだけ離れた、短軸Ｙ及び管軸Ｚを含む面と平行な断面において有効部１ａの外面がなす曲線Ｃｖは２次成分及び４次成分を組み合わせた近似式で表すことができた。曲線Ｃｖが長軸Ｘ及び管軸Ｚを含む面と交差する点Ｐｈｘに対する曲線Ｃｖが長辺１ａLと交差する点Ｐｌｘでの管軸Ｚ方向における落ち込み量をＺｖｘとすると、有効部１ａの中心Ｐｃからの距離ｘが増加するにしたがって、落ち込み量Ｚｖｘにおける４次成分の比率は図３に示すように２次関数にしたがって減少し、短辺（ｘ＝２７２ｍｍ）では０であった。
【００６７】
実施例のパネルの長軸Ｘ及び管軸Ｚを含む断面において有効部１ａの外面がなす曲線は、中心Ｐｃ、長軸端Ｐｈ、及びこの２点の中間点での外面の落ち込み量より、
Ｚ＝２．６９×１０-5・ｘ2＋８．８９×１０-11・ｘ4
で近似することができた。中心Ｐｃから長軸端Ｐｈまでの長軸Ｘ方向の距離は２７２ｍｍであり、長軸端Ｐｈでの落ち込み量Ｚｈにおける４次成分の比率は、
８．８９×１０-11・ｘ4／（２．６９×１０-5・ｘ2＋８．８９×１０-11・ｘ4）×１００＝２０％
であった。
【００６８】
実施例のパネルでは、中心Ｐｃから短軸Ｙ方向に距離ｙだけ離れた、長軸Ｘ及び管軸Ｚを含む面と平行な断面において有効部１ａの外面がなす曲線Ｃｈは２次成分及び４次成分を組み合わせた近似式で表すことができた。曲線Ｃｈが短軸Ｙ及び管軸Ｚを含む面と交差する点Ｐｖｙに対する曲線Ｃｈが短辺１ａSと交差する点Ｐｓｙでの管軸Ｚ方向における落ち込み量をＺｈｙとすると、有効部１ａの中心Ｐｃからの距離ｙが増加するにしたがって、落ち込み量Ｚｈｙにおける４次成分の比率は２次関数にしたがって減少し、長辺（ｙ＝２０４ｍｍ）では０であった。
【００６９】
実施例のパネル１の有効部１ａの外面の短辺１ａSに沿った曲率半径Ｒｓは５２０００ｍｍ、長辺１ａLに沿った曲率半径Ｒｌは５１０００ｍｍであった。
【００７０】
従来例のパネルの有効部１ａの外面の短辺１ａSに沿った曲率半径Ｒｓ、長辺１ａLに沿った曲率半径Ｒｌ、対角軸Ｄ方向の曲率半径Ｒｄはいずれも５００００ｍｍであった。また、従来例のパネルの短軸Ｙ及び管軸Ｚを含む断面において有効部１ａの外面がなす曲線の曲率半径は５００００ｍｍ、長軸Ｘ及び管軸Ｚを含む断面において有効部１ａの外面がなす曲線の曲率半径は５００００ｍｍであった。
【００７１】
実施例及び従来例のカラー受像管について、図４に示すように、有効部１ａの中心Ｐｃと長軸端Ｐｈとの中間位置Ｐｍｈを含む領域２０のみを白表示とし、その他の領域を黒表示とした場合の中間位置Ｐｍｈでのドーミングによるビーム移動量を測定した。結果を表３に示す。ビーム移動量が小さいほど、色純度の劣化による画像の劣化は少ない。
【００７２】
【表３】
2007287555.tif 000005
【００７３】
外囲器９の防爆特性を評価するために、補強バンド１２によるサギング・バック率を測定した。測定法は以下の通りである。図５に示すように、外囲器９の内部空間を真空にすることにより、パネル１の有効部１ａの外面は、二点鎖線２０より破線２１のように変化した。この変化による有効部１ａの中心Ｐｃの管軸Ｚ方向の変位量Ａを測定した。次に、パネル１の側面部１ｂに補強バンド１２を装着した。補強バンド１２を装着することにより、パネル１の有効部１ａの外面は、破線２１より実線２２のように変化した。この変化による有効部１ａの中心Ｐｃの管軸Ｚ方向の変位量Ｂを測定した。即ち、外囲器９の内部空間を真空にするとパネル１の有効部１ａの外面は外囲器９内に押し込まれるように変形量Ａだけ窪み変形し、次いで、補強バンド１２を装着するとこの窪み変形量Ａの一部が回復する（回復量Ｂ）。サギング・バック率ＳＢとは、補強バンド１２を装着したときの窪み変形の回復率であって、
ＳＢ＝（Ｂ／Ａ）×１００（％）
より求めた。
【００７４】
実施例及び比較例でのサギング・バック率の測定結果を表４に示す。実施例と比較例とでは同じ補強バンド１２を使用した。
【００７５】
【表４】
2007287555.tif 000006
【００７６】
実施例では、パネル１の有効部１ａに僅かな曲率を付与したために、同一の締め付け力を発生する補強バンド１２を装着したにもかかわらず、サギング・バック率が大きい。サギング・バック率が大きいことは、カラー受像管の防爆特性が向上していることを意味する。従って、従来例と同等の防爆特性が得られれば十分なのであれば、実施例では補強バンド１２による締め付け力を従来例に比べて小さくすることができる。具体的には、実施例では、従来例に比べて補強バンド１２の厚み又は幅を小さくすることができ、これにより補強バンド１２のコストを低減することができる。あるいは、従来例と同じ補強バンド１２を使用する場合には、実施例では、パネル１の有効部１ａの中心での厚みを薄くすることができ、ガラス材料を削減してパネル１のコストを低減することができる。
【００７７】
画面の視認性に関して、一般に画面の平面性を最も強く感じる部分は、矩形状のスクリーンの端部、即ちその長辺及び短辺である。カラー受像管が組み込まれるＴＶセットの前面キャビネットのスクリーン枠は正面から見て矩形、即ち、長辺及び短辺は直線であるから、パネル１の有効部１ａの外面の周辺部が湾曲していると画面の丸みが非常に目立ってしまい、視認性が低下する。
【００７８】
本実施例では、パネル１の有効部１ａの外面の対角軸Ｄ方向の曲率半径Ｒｄは従来例に比べて小さいが、湾曲が目立ちやすい有効部１ａの外面の短辺１ａS及び長辺１ａLに沿った曲率半径Ｒｓ、Ｒｌは従来例と略同等である。従って、パネル１の有効部１ａの外面の平面性に関して、実施例は有効部１ａの外面の対角軸Ｄ方向の曲率半径Ｒｄが小さいにもかかわらず、従来例と違いがほとんど感じられなかった。また、従来例のカラー受像管が組み込まれる従来のＴＶセットに実施例のカラー受像管を組み込んだところ、パネル１の外面と前面キャビネットのスクリーン枠との間に隙間は生じなかった。従って、実施例のカラー受像管に対して、従来のＴＶセットの前面キャビネットを設計変更することなくそのまま適用することができることを確認した。
【００７９】
パネル１の有効部１ａの外面での、カラー受像管の周辺の外光の反射像について評価した結果を示す。評価方法は以下の通りである。有効部１ａの中心Ｐｃでの法線上に視点を設け、視点に対して有効部１ａとは反対側に、平面上に格子を描いた被写体を、この法線に対して垂直に設ける。そして、視点で認識される、有効部１ａの外面で反射した被写体像を解析により求めた。
【００８０】
図６（Ａ）は実施例のパネルについての解析結果を示した図であり、図６（Ｂ）は比較例のパネルについての解析結果を示した図である。実施例では、パネル１の有効部１ａの外面の曲面形状が非球面成分を含むので、外光の反射像は歪みを有しているが、全体として被写体像の違和感は最小化されている。これは、実施例では、短軸Ｙ及び長軸Ｘに沿った曲面形状が２次成分及び４次成分を組み合わせた近似式で表され、短軸端での落ち込み量Ｚｖにおける４次成分の比率が１０％以上４０％以下であり、且つ、長軸端での落ち込み量Ｚｈにおける４次成分の比率が１０％以上４０％以下であること、及び、有効部１ａの中心Ｐｃから曲線Ｃｖまでの距離ｘが増加するにしたがって、落ち込み量Ｚｖｘにおける４次成分の比率が２次関数にしたがって減少し、且つ、有効部１ａの中心Ｐｃから曲線Ｃｈまでの距離ｙが増加するにしたがって、落ち込み量Ｚｈｙにおける４次成分の比率が２次関数にしたがって減少することによる。
【産業上の利用可能性】
【００８１】
本発明の利用分野は特に制限はないが、パネル外面の視感上の平面性を有しながら、画像の輝度の均一性に優れ、ドーミングによる色純度の劣化が少ないので、安価で良好なカラー表示を行うことができる、例えばテレビジョン受像機やコンピュータディスプレイ用のカラー受像管として広範囲に利用することができる。
【図面の簡単な説明】
【００８２】
【図１】本発明の一実施形態に係るカラー受像管のパネルの概略形状を示した斜視図
【図２】本発明の一実施形態に係るカラー受像管のパネルの有効部の外面の第１象限内の形状を示した斜視図
【図３】本発明の実施例に係るパネルの落ち込み量Ｚｖｘにおける４次成分の比率の中心からの距離に対する変化を示した図
【図４】ドーミングによるビーム移動量を測定する際の表示パターンを示した図
【図５】補強バンドによるサギング・バック率を説明する側面図
【図６】図６（Ａ）及び図６（Ｂ）は、順に実施例及び従来例についてのパネルの有効部の外面での反射像の解析結果を示した図である。
【図７】カラー受像管の一例の概略構成を示した断面図
【図８】シャドウマスクの一例の概略構成を示した斜視図
【図９】有効部の外面が平坦なパネルの断面図
【符号の説明】
【００８３】
１  パネル
１ａ  パネルの有効部
１ａL  有効部の長辺
１ａS  有効部の短辺
１ｂ  パネルの側壁部
２  ファンネル
２ａ  ネック
３  蛍光体スクリーン
４  シャドウマスク
４ａ  主面部
４ｂ  有孔領域
４ｃ  無孔領域
４ｄ  スカート部
４ｅ  電子ビーム通過孔
５  シャドウマスク構体
６Ｂ，６Ｇ，６Ｒ  電子ビーム
７  電子銃
８  偏向装置
９  外囲器
１０  インナーシールド
１１  マスクフレーム
１２  補強バンド
３０  接平面
【図１】
2007287555.tif 000007
【図２】
2007287555.tif 000008
【図３】
2007287555.tif 000009
【図４】
2007287555.tif 000010
【図５】
2007287555.tif 000011
【図６】
2007287555.tif 000012
【図７】
2007287555.tif 000013
【図８】
2007287555.tif 000014
【図９】
2007287555.tif 000015